(57)【要約】【課題】弾性シートと同様の遮音効果を有し、かつ床暖房パネルを設置する際の下地材に対する木ねじの保持力にも優れた高い強度を有し、さらには耐熱性能、コスト、地球環境の点にも優れた二重床構造を提供する。【解決手段】床パネル１５とフローリング材１８との間に、フローリング材１８の下地材となるパーティクルボード１７を配置し、このパーティクルボード１７により高い遮音効果を得ることができ、パーティクルボード１７が有する高い強度により、フローリング材１８を安定に支持することができる。また、パーティクルボード１０は、リサイクル材料となる廃材の木片チップを利用して生産されるパネルであるので、生産に際してベニア合板のように貴重な丸太を消費することが無く、地球環境の保護という観点からも優れた効果がある【選択図】図１
2008069545.tif 000002
【特許請求の範囲】
【請求項１】
コンクリートベース上に支持脚を介して床パネルを支持し、この床パネル上にフローリング材を配置した二重床構造であって、前記床パネルとフローリング材との間に、フローリング材の下地材となるパーティクルボードを配置したことを特徴とする二重床構造。
【請求項２】
コンクリートベース上に支持脚を介して床パネルを支持し、この床パネル上にフローリング材を配置した二重床構造であって、前記床パネルとフローリング材との間に床暖房パネルを配置し、この床暖房パネルと床パネルとの間に、床暖房パネルの下地材となるパーティクルボードを配置したことを特徴とする二重床構造。
【請求項３】
前記パーティクルボードがウレタン樹脂系接着剤によって固めたものであることを特徴とする請求項１又は２記載の二重床構造。
【発明の詳細な説明】
【技術分野】
【０００１】
本発明はコンクリートベース上に支持脚を介して支持された二重床の構造に関する。
【背景技術】
【０００２】
近年、アパート、マンションなどの集合住宅における生活騒音が問題になるに伴い、遮音効果がある二重床構造が注目されている。このような技術として、例えば特開平５−３２１４４３号公報（特許文献１）及び特開平７−２０７８９４号公報（特許文献２）に示される二重床構造が知られている。
【０００３】
特許文献１に示される二重床構造は、図５に示されるように、コンクリートベース１上に床支持脚２を設置し、この床支柱脚２の上端にて床パネル３の床パネル受け３Ａを支持するものである。床支持脚２は、コンクリートベース１に設置される台座４と、台座４に螺合されてかつ垂直に支持された支持ボルト５と、支持ボルト５の上部に螺合されて支持ボルト５に沿って上下方向に移動自在なねじ部材６とから構成されたものであって、ねじ部材６の下端に設けられたフランジ６Ａにより、床パネル３の床パネル受け３Ａを支持する。床パネル３の上面には硬質ゴムからなる弾性シート７が積層され、さらに弾性シート７の上面にはフローリング材８が敷き詰められている。そして、このような二重床構造により、硬質ゴムからなる弾性シート７が、フローリング材８に加わる衝撃音を吸収し、遮音効果を高めるものである。
【０００４】
特許文献２に示される二重床構造は、床支持脚２に支持される床パネル３の配置状態が特許文献１の二重床構造と異なる以外、特許文献１の二重床と基本構造を同じくする。
【特許文献１】特開平５−３２１４４３号公報
【特許文献２】特開平７−２０７８９４号公報
【発明の開示】
【発明が解決しようとする課題】
【０００５】
ところで、上記特許文献１及び２に示される二重床構造では、床パネル３とフローリング材８との間に配置した硬質ゴムからなる弾性シート７によって、床構造の遮音性能を高めようとするものであるが、この弾性シート７は、フローリング材８の下地材として使用するには強度が弱いという問題がある。また、フローリング材８の下地材としてベニア合板を使用する場合もあるが、このベニア合板は遮音性能が劣るとともに、良質な丸太を薄くスライスしかつ積層することにより製造されるものであるので、価格が高く、将来の森林資源枯渇という観点からも使用に問題があった。
【０００６】
また、上記二重床構造の床パネル３とフローリング材８との間に、面ヒータ、温水配管、ヒートパイプ等を内部に有する床暖房パネルを配置することも行われているが、このような床暖房パネルの下地材としてベニア合板を使用し、かつこのベニア合板に対して、床暖房パネルを固定するための木ねじを締め込んだ場合、ベニア合板に対する木ねじの保持力が弱く、木ねじが抜け落ちる恐れもあった。
【０００７】
本発明は、従来の有していた問題を解決しようとするものであって、弾性シートと同様の遮音効果を有し、かつ床暖房パネルを設置する際の下地材に対する木ねじの保持力にも優れた強度を有し、さらには耐熱性能、コスト、地球環境の点にも優れた二重床構造の提供を目的とする。
【課題を解決するための手段】
【０００８】
上記目的を達成するために、本発明の課題解決手段では、コンクリートベース上に支持脚を介して床パネルを支持し、この床パネル上にフローリング材を配置した二重床構造であって、前記床パネルとフローリング材との間に、フローリング材の下地材となるパーティクルボードを配置する。
【０００９】
また、本発明の課題解決手段では、コンクリートベース上に支持脚を介して床パネルを支持し、この床パネル上にフローリング材を配置した二重床構造であって、前記床パネルとフローリング材との間に床暖房パネルを配置し、この床暖房パネルと床パネルとの間に、床暖房パネルの下地材となるパーティクルボードを配置する。
【００１０】
そして、以上のように構成された本発明の二重床構造では、以下に示す作用が得られる。すなわち、床パネルとフローリング材との間に、フローリング材の下地材となるパーティクルボードを配置したので、このパーティクルボードにより高い遮音効果が得られ、また、パーティクルボードの高い強度により、フローリング材が安定に支持される。
【００１１】
また、本発明の二重床構造によれば、フローリング材とパーティクルボードとの間に床暖房パネルを配置し、パーティクルボードを床暖房パネルの下地材としたので、床暖房パネルを固定するための木ねじを締め込んだとしても、パーティクルボードに対する木ねじの保持力が高いために木ねじが抜け落ちることもなく、床暖房パネルを安定して支持することができる。
【００１２】
本発明の二重床構造において、パーティクルボードとは、木材などの小片を主な原料として、接着剤を用いて成形熱圧した板をいい、接着剤としてウレタン樹脂系接着剤を用いたものであることが好ましい。また、密度（ｇ／ｃｍ３）が０．７８以上、例えば０．７９のものを用いると、特に高強度のものが得られる。また、木ねじ保持力（Ｎ）としては８６０程度あると好適である。
【発明の効果】
【００１３】
以上のように構成された本発明の二重床構造によれば、床パネルとフローリング材との間に、フローリング材の下地材となるパーティクルボードが配置されているので、このパーティクルボードにより高い遮音効果を得ることができ、また、パーティクルボードの高い強度により、フローリング材を安定に支持することができる。また、パーティクルボードは、リサイクル材料となる廃材の木片チップを利用して生産されるパネルであるので、生産に際してベニア合板のように貴重な丸太を消費することが無く、地球環境の保護という観点からも優れた効果が得られる。
【００１４】
また、本発明の二重床構造によれば、フローリング材とパーティクルボードとの間に床暖房パネルを配置し、パーティクルボードを、床暖房パネルの下地材としたので、床暖房パネルを固定するための木ねじを締め込んだとしても、パーティクルボードに対する木ねじの保持力が高いために、木ねじが抜け落ちることもなく、床暖房パネルを安定して支持することができる。また、従来より使用されるベニア合板と比較して、遮音性能、暖房熱耐久性、暖房湿潤性能、コストの点でも高い効果を得ることができる。
【発明を実施するための最良の形態】
【００１５】
以下に本発明の実施形態を説明する。
図１及び図２は第１実施形態を示している。これらの図において符号１０で示すものは二重構造の下部を構成するコンクリートベースであって、そのコンクリートベース１０上には、支持脚となる防振アジャスター１１が設けられている。防振アジャスター１１は、コンクリートベース１０上に設置された台座１２と、台座１２に螺合されてかつ垂直に支持された支持ボルト１３と、支持ボルト１３の上部に螺合されて支持ボルト１３に沿って上下方向に移動自在なねじ部材１４とから構成され、このねじ部材１４の中間部に設けられたフランジ１４Ａにより、床パネル１５の床パネル受け１６を下方から支持する。また、ねじ部材１４の上部外周には、床パネル受け１６の貫通孔１６Ａに螺合されかつねじ部材１４を床パネル受け１６に固定するための外ねじ１４Ｂが設けられている。そして、このように構成された防振アジャスター１１では、ねじ部材１４を支持ボルト１３に沿って上下に移動させることにより、ねじ部材１４に固定された床パネル受け１６の高さが調整され、これにより床パネル受け１６上の床パネル１５とコンクリートベース１０との間隔が調整され、床パネル１５の水平度が調整される。
【００１６】
床パネル１５の上面にはパーティクルボード１７が配置されている。パーティクルボード１７は廃材などから得られる木片チップを接着剤で固めたものであり、合板と比較して強度が高く、安価であり、かつ遮音性能、床暖房耐熱性にも優れている。なお、本実施形態のパーティクルボード１７としては、発ガン物質であるホルムアルデヒドムを含まないウレタン樹脂系接着剤を使用した、安全性の高いボードが採用され、以下の物性のものが適用される。
【００１７】
密度（ｇ／ｃｍ３）：    ０．７８以上、例えば０．７９
曲げ強さ（Ｎ／ｍｍ２）：２０以上、    例えば２５．０
吸水厚さ膨張率（％）：  ８以下、      例えば６．９
木ねじ保持力（Ｎ）：    ８６０程度、  例えば８６２
これらの物性は日本工業規格ＪＩＳ  Ａ  ５９０８に基づいて測定したものである。このうち、吸水厚さ膨張率は、あらかじめ、試験片の中央部の厚さを０．０５ｍｍの精度までダイヤルゲージ又はマイクロメーターで測定し、これを２０±１℃の水中に水面下約３ｃｍに水平に置き、２４時間浸した後、取り出して水分をふき取り厚さを測定し、これらの測定結果から次の式によって算出される。
吸水厚さ膨張率（％）＝（ｔ２−ｔ１）／ｔ１×１００
ここで、ｔ１：吸水前の厚さ（ｍｍ）
ｔ２：吸水後の厚さ（ｍｍ）
【００１８】
また、木ねじ保持力は、ＪＩＳ  Ｂ  １１１２に規定する呼び径２．７ｍｍ、長さ１６ｍｍの木ねじのねじ部（約１１ｍｍ）を５０ｍｍ×１００ｍｍの試験片の所定位置の２箇所に垂直にねじ込み、試験片を固定して木ねじを垂直に引き抜き、それに要する最大荷重をそれぞれ測定し、その２箇所の平均値をもって木ねじ保持力としている。ただし、引き抜き荷重速度は、約２ｍｍ／ｍｉｎとされ、木ねじのねじ込みは、予め直径２ｍｍのドリルで深さ約３ｍｍの案内穴を設けてから行われる。なお、前述の測定値は、厚さ９ｍｍのパーティクルボードを使用したものであり、木ねじ保持力の測定においては、１１ｍｍではなく９ｍｍねじ込んだ状態でのものとなる。
【００１９】
このようなパーティクルボード１７は、メラミン樹脂を接着剤とする他のパーティクルボードと比較して、高密度かつ曲げ強さに優れ、木ねじ保持力も高い。また、吸水厚さ膨張率が、メラミン樹脂を接着剤とする他のパーティクルボードと比べて小さいために、変形が少ない高精度の施工が可能となる。
因みに、メラミン樹脂を接着剤とする一般的なパーティクルボードは、密度（ｇ／ｃｍ３）が０．７１、曲げ強さ（Ｎ／ｍｍ２）が２２．０、吸水厚さ膨張率（％）が８．０、木ねじ保持力（Ｎ）が７８９程度である。
【００２０】
また、パーティクルボード１７の上面には表面材となるフローリング材１８が配置されている。このフローリング材１８は、前述したパーティクルボード１７を下地材として配置されるものである。
【００２１】
そして、以上のように構成された二重床構造では、床パネル１５とフローリング材１８との間に、フローリング材１８の下地材となるパーティクルボード１７を配置したので、このパーティクルボード１７により、高い遮音効果を得ることができ、かつ、パーティクルボード１７の高い強度により、フローリング材１８を安定に支持することができる。また、パーティクルボード１７は、リサイクル材料となる廃材の木片チップを利用して生産されるパネルであるので、生産に際してベニア合板のように貴重な丸太を消費することが無く、地球環境の保護という観点からも優れた効果がある。なお、本実施例では、防振性能を有する防振アジャスター１１を支持脚として使用しているが、これに限定されず、通常の支持脚であっても良い。
【００２２】
次に、本発明の第２実施形態を図３及び図４を参照して説明する。
この実施形態に示す二重床構造が、第１実施形態に示す二重床構造と異なる点は、床パネル１５とフローリング材１８との間に床暖房パネル２０を配置し、この床暖房パネル２０と床パネル１５との間に、床暖房パネル２０の下地材となるパーティクルボード２１を配置した点である。床暖房パネル２０としては、特開２００５−１１３６０４号公報、特開平９−３０３８０３号公報に示されるような、面ヒータ、温水配管、ヒートパイプ等の様々なタイプの方式が使用される。パーティクルボード２１は、第１実施形態でも述べたように、合板と比較して遮音性能、床暖房耐熱性に優れたものであり、特に高強度でかつ安全性に優れたウレタン樹脂系接着剤を使用したボードが採用される。その物性は第１実施形態の説明において前述したものと同じであり、密度（ｇ／ｃｍ３）が０．７９、曲げ強さ（Ｎ／ｍｍ２）が２５．０、吸水厚さ膨張率（％）が６．９、木ねじ保持力（Ｎ）が８６２のものが使用される。
【００２３】
また、図４において符号２３で示すものは床暖房パネル２０に温水を供給するための配管である。また、パーティクルボード２１とフローリング材１８の間であって、かつ床暖房パネル２０の側方には、床暖房パネル２０の間隔を埋めかつフローリング材１８を支持する捨貼り２２が配置されているが、この捨貼り２２についてもパーティクルボードが使用される。
【００２４】
そして、以上のように構成された二重床構造では、床パネル１５とフローリング材１８との間に床暖房パネル２０を配置し、この床暖房パネル２０の下地材としてパーティクルボード２１を使用したので、このパーティクルボード２１に対して、床暖房パネル２０を固定するための木ねじを締め込んだとしても、パーティクルボード２１に対する木ねじの保持力が高いことから、木ねじが抜け落ちることもなく、床暖房パネル２０を安定して支持することができる。また、従来より使用されるベニア合板と比較して、遮音性能、暖房熱耐久性、暖房湿潤性能、コストの点でも高い効果を得ることができる。また、パーティクルボード２１が有する遮音性により、従来の弾性シートと同様、フローリング材１８に加わる衝撃音を吸収するとができ、高い遮音性を有する二重床構造を得ることができる。
【図面の簡単な説明】
【００２５】
【図１】本発明の実施例１を示す二重床構造の側断面図である。
【図２】本発明の実施例１を示す二重床構造の概略斜視図である
【図３】本発明の実施例２を示す二重床構造の側断面図である。
【図４】本発明の実施例２を示す二重床構造の概略斜視図である
【図５】従来の二重床構造を示す側断面図である。
【符号の説明】
【００２６】
１０  コンクリートベース
１１  防振アジャスター（支持脚）
１２  台座
１３  支持ボルト
１４  ねじ部材
１５  床パネル
１６  床パネル受け
１７  パーティクルボード
１８  フローリング材
２０  床暖房パネル
２１  パーティクルボード
【図１】
2008069545.tif 000003
【図２】
2008069545.tif 000004
【図３】
2008069545.tif 000005
【図４】
2008069545.tif 000006
【図５】
2008069545.tif 000007